(57)【要約】【課題】本開示は、複数のシャッタ制御を有する撮像装置において、使用者の使い勝手をより良くすることができる撮像装置を提供する。【解決手段】撮像装置は、被写体像を撮像する撮像素子と、前記撮像素子に集光される被写体像を遮蔽するメカシャッタと、前記撮像素子及びメカシャッタを制御する露光制御部と、を備える。そして、前記露光制御部は、前記メカシャッタと前記撮像素子の電子シャッタを併用して露光を実現する第１のシャッタ制御と、前記メカシャッタを用いず、前記撮像素子の電子シャッタを用いて露光を実現する第２のシャッタ制御と、を有し、前記露光制御部は、シャッタスピードに応じて、前記第１のシャッタ制御と前記第２のシャッタ制御とを切り替える。【選択図】図８
2016213520.tif 000002
【特許請求の範囲】
【請求項１】
被写体像を撮像する撮像素子と、
前記撮像素子に集光される被写体像を遮蔽するメカシャッタと、
前記撮像素子と前記メカシャッタを制御する露光制御部と、
を備え、
前記露光制御部は、
前記メカシャッタと前記撮像素子の電子シャッタを併用して露光を実現する第１のシャッタ制御と、
前記メカシャッタを用いず、前記撮像素子の電子シャッタを用いて露光を実現する第２のシャッタ制御と、
を有し、
前記露光制御部は、シャッタスピードに応じて、前記第１のシャッタ制御と前記第２のシャッタ制御とを切り替える、
撮像装置。
【発明の詳細な説明】
【技術分野】
【０００１】
本開示は、撮像装置に関する。特に、複数のシャッタ制御を有する撮像装置に関する。
【背景技術】
【０００２】
特許文献１は、メカシャッタと電子シャッタを併用して露光を実現する撮像装置を開示している。
【先行技術文献】
【特許文献】
【０００３】
【特許文献１】特開２００７−２８２１２８号公報
【発明の概要】
【発明が解決しようとする課題】
【０００４】
本開示は、複数のシャッタ制御を有する撮像装置において、使用者の使い勝手をより良くすることができる撮像装置を提供する。
【課題を解決するための手段】
【０００５】
本開示における撮像装置は、被写体像を撮像する撮像素子と、前記撮像素子に集光される被写体像を遮蔽するメカシャッタと、前記撮像素子及びメカシャッタを制御する露光制御部と、を備える。そして、前記露光制御部は、前記メカシャッタと前記撮像素子の電子シャッタを併用して露光を実現する第１のシャッタ制御と、前記メカシャッタを用いず、前記撮像素子の電子シャッタを用いて露光を実現する第２のシャッタ制御と、を有し、前記露光制御部は、シャッタスピードに応じて、前記第１のシャッタ制御と前記第２のシャッタ制御とを切り替える。
【発明の効果】
【０００６】
本開示における撮像装置は、複数のシャッタ制御を有する撮像装置において、使用者の使い勝手をより良くすることができる。
【図面の簡単な説明】
【０００７】
【図１】実施の形態１におけるデジタルカメラ１００の外観図
【図２】実施の形態１におけるデジタルカメラ１００の背面図
【図３】実施の形態１におけるデジタルカメラ１００の構成図
【図４】電子シャッタと電子先幕における露光タイミングを説明するための図
【図５】実施の形態１におけるシャッタ制御を決定するためのモード選択画面例を示す図
【図６】実施の形態１におけるモードに応じたプログラム線図決定動作時の制御フローチャート
【図７】実施の形態１におけるモードに応じたプログラム線図を説明するための図
【図８】実施の形態１におけるモードに応じたシャッタ制御を説明するためのフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
以下、図１〜８を用いて、実施の形態１を説明する。
【００１１】
＜１．構成＞
＜１−１．構成概要＞
実施の形態１にかかるデジタルカメラ１００の構成の概要について説明する。
【００１２】
図１は、デジタルカメラ１００の外観図である。図１に示すように、デジタルカメラ１００は、交換レンズ１０１と、交換レンズ１０１を装着可能なカメラボディ１０２とからなる。カメラボディ１０２は、レリーズ釦１６０を備えている。カメラボディ１０２は、レリーズ釦１６０のユーザによる半押し操作を受け付けると、交換レンズ１０１に対して、オートフォーカス動作するよう制御信号を送信する。また、カメラボディ１０２は、レリーズ釦１６０のユーザによる操作を受け付けると、交換レンズ１０１を介して形成される被写体像の撮影動作を実行する。
【００１３】
図２は、デジタルカメラ１００（カメラボディ１０２）の背面図である。カメラボディ１０２は、背面部に液晶モニタ１６３、タッチパネル１６２、中央釦２０４および十字釦２０５を含むカメラ側操作部１７０等を備えている。カメラボディ１０２は、タッチパネル１６２や、カメラ側操作部１７０のユーザによる操作を受け付けて、操作内容に従った各種制御を行うことができる。
【００１４】
図３は、デジタルカメラ１００（交換レンズ１０１およびカメラボディ１０２）の構成図である。交換レンズ１０１は、レンズコントローラ１２０、レンズマウント１３０、フォーカスレンズ１１０およびズームレンズ１１２を含む光学系、フォーカスレンズ駆動部１１１、フォーカスリング１１４、ズームレンズ駆動部１１３、ズームリング１１５、絞り１１６、絞り駆動部１１７、ＤＲＡＭ１２１、フラッシュメモリ１２２等を備えている。カメラボディ１０２は、カメラコントローラ１５３、ボディマウント１４０、ＣＭＯＳイメージセンサ１５０、タイミングジェネレータ１５１（以下、ＴＧ１５１と呼ぶことにする。）、アナログフロントエンド１５２（以下、ＡＦＥ１５２と呼ぶことにする。）、液晶モニタ１６３、タッチパネル１６２、レリーズ釦１６０、カメラ側操作部１７０、電源１５４、ＤＲＡＭ１５５、フラッシュメモリ１５６、メカシャッタ１５７、カードスロット１６５、メモリカード１６４等を備えている。
【００１５】
＜１−２．交換レンズ各部の構成＞
続いて、交換レンズ１０１各部の構成について説明する。
【００１６】
レンズ系は、フォーカスレンズ１１０とズームレンズ１１２とを含んで構成され、被写体からの光を集光する。ズームレンズ１１２は、ズームレンズ駆動部１１３又はズームリング１１５によって駆動され、ズーム倍率を調整するものである。フォーカスレンズ１１０は、フォーカスレンズ駆動部１１１又はフォーカスリング１１４によって駆動され、ピントの調節を行なうようにしたものである。要するに、フォーカスレンズ１１０やズームレンズ１１２は可動レンズである。
【００１７】
ズームレンズ駆動部１１３は、レンズコントローラ１２０の制御にしたがって、ズームレンズ１１２を駆動させるようにしたものである。また、フォーカスレンズ駆動部１１１は、レンズコントローラ１２０の制御にしたがって、レンズデータの示す駆動制御範囲内でフォーカスレンズ１１０を駆動させる。
【００１８】
絞り１１６は、レンズ系を通過してＣＭＯＳイメージセンサ１５０に入射する光の量を調整するものである。例えば、光の調整は、５枚羽根などで構成される開口部を大きくしたり、小さくしたりすることで可能である。
【００１９】
絞り駆動部１１７は、絞り１１６の開口部の大きさを変更するものである。レンズコントローラ１２０は、絞り１１６の開口部の大きさを変更するよう制御することができる。ここで開口部の大きさは、カメラコントローラ１５３からレンズコントローラ１２０に対してＡｖ値により指定可能である。これにより、例えば露出制御のとき、カメラコントローラ１５３は、決定された絞り値（Ａｖ値）に従って、絞り１１６の開閉を制御することができる。
【００２０】
絞り駆動部１１７は、レンズコントローラ１２０からの制御に基づいて、絞り１１６を駆動するようにしている。この場合、絞り駆動部１１７は、レンズコントローラ１２０から絞りを調整するための制御信号（絞り値又は駆動量）を取得する。これによって、絞り駆動部１１７は、この絞りを調整するための制御信号に応じて、レンズデータの示す駆動制御範囲内で絞りを駆動する。
【００２１】
ズームリング１１５は、交換レンズ１０１の外装に設けられ、使用者からの操作に応じて、ズームレンズ１１２を駆動させるものである。また、フォーカスリング１１４は、交換レンズ１０１の外装に設けられ、使用者からの操作に応じて、フォーカスレンズ１１０を駆動させるものである。
【００２２】
フラッシュメモリ１２２は、交換レンズ１０１のレンズ特性を表すレンズデータを記憶する。レンズデータとは、レンズの名称やＦ値、焦点距離等などをカメラコントローラ１５３が認識可能な形態になっているデータを表す。
【００２３】
レンズコントローラ１２０は、交換レンズ１０１全体を制御するものである。レンズコントローラ１２０は、マイクロコンピュータで実現してもよく、ハードワイヤードな回路で実現してもよい。なお、レンズコントローラ１２０は、交換レンズ１０１がカメラボディ１０２に装着されると、フラッシュメモリ１２２に記憶されたレンズデータを読み出して、カメラコントローラ１５３に送信する。
【００２４】
＜１−３．カメラボディ各部の構成＞
続いて、カメラボディ１０２各部の構成について説明する。
【００２５】
カメラコントローラ１５３は、レリーズ釦１６０やカメラ側操作部１７０からの指示に応じて、ＣＭＯＳイメージセンサ１５０等のデジタルカメラ１００全体を制御する。カメラコントローラ１５３は、垂直同期信号をタイミング発生器１５１（ＴＧ）に通知する。これと並行して、カメラコントローラ１５３は、垂直同期信号に基づいて露光同期信号を生成する。カメラコントローラ１５３は、生成した露光同期信号を、ボディマウント１４０及びレンズマウント１３０を介して、レンズコントローラ１２０に周期的に繰り返し通知する。カメラコントローラ１５３は、ＤＲＡＭ１５５や、フラッシュメモリ１５６に接続されており、必要に応じて情報を書き込んだり、読み出したりすることができる。カメラコントローラ１５３は、ハードワイヤードな電子回路で構成してもよいし、プログラムを用いたマイクロコンピュータなどで構成してもよい。
【００２６】
ＤＲＡＭ１５５は、カメラコントローラ１５３による各種制御の際のワークメモリとして使用される。また、フラッシュメモリ１５６は、カメラコントローラ１５３による各種制御の際に使用するプログラムやパラメータ等を格納している。例えば、フラッシュメモリ１５６は、露出制御の際に使用するプログラム線図を格納している。プログラム線図は、撮影モードに対応して複数格納していてもよい。
【００２７】
ＣＭＯＳイメージセンサ１５０は、交換レンズ１０１を介して入射される被写体像を撮像して画像情報を生成する。生成された画像情報は、ＡＦＥ１５２でアナログ形式のデータからデジタル形式のデータに変換される。ＡＦＥ１５２でデジタル化された画像情報は、カメラコントローラ１５３で各種の画像処理が施される。ここで言う各種の画像処理とは、例えば、ガンマ補正処理、ホワイトバランス補正処理、キズ補正処理、ＹＣ変換処理、電子ズーム処理、ＪＰＥＧ圧縮処理等であるが、これらに限定されるものではない。また本発明においては、ＣＭＯＳイメージセンサ１５０に代えて、例えばＮＭＯＳイメージセンサやＣＣＤイメージセンサなど、他の撮像素子を用いても良い。
【００２８】
ＣＭＯＳイメージセンサ１５０は、ＴＧ１５１で制御されるタイミングで動作する。ＴＧ１５１で制御されるＣＭＯＳイメージセンサ１５０の動作は、静止画像の撮像動作、スルー画像の撮像動作、データ転送動作、電子シャッタ動作、電子先幕動作等がある。スルー画像は主に動画像であり、静止画像の撮像のための構図を決めるために液晶モニタ１６３に表示されるものである。
【００２９】
メカシャッタ１５７は、レンズ系を介して入射された、ＣＭＯＳイメージセンサ１５０に対する光学的信号の遮断又は通過を切り替える。メカシャッタ１５７は、メカシャッタ駆動部によって駆動される。メカシャッタ駆動部は、モータ、バネ等の機構部品からなり、カメラコントローラ１５３の制御によって、メカシャッタ１５７を駆動する。要するに、メカシャッタ１５７は、開けたり閉じたりして、ＣＭＯＳイメージセンサ１５０に当たる光の量を時間的に調整するものである。
【００３０】
液晶モニタ１６３は、カメラボディ１０２の背面に配置されるものであり、カメラコントローラ１５３で処理された表示用の画像情報が示す画像を表示する。液晶モニタ１６３は、動画像も静止画も選択的に表示可能である。また、画像の他、デジタルカメラ１００全体の設定条件等を表示可能である。本実施例では、表示手段の一例として液晶モニタ１６３を示すが、本発明はこれに限らない。例えば、有機ＥＬディスプレイ等の表示手段を用いてもよい。
【００３１】
タッチパネル１６２は、液晶モニタ１６３の表面に設けられており、使用者がタッチしたタッチパネル上の電極位置に関する情報を生成する。タッチパネル１６２は、電極位置に関する情報に基づいて、使用者がタッチしたタッチパネル上の位置座標を算出してカメラコントローラ１５３に通知する。
【００３２】
ボディマウント１４０は、交換レンズ１０１に有するレンズマウント１３０と相俟って、交換レンズ１０１おおびカメラボディ１０２とが機械的及び電気的に接続するための接続部材である。交換レンズ１０１とカメラボディ１０２とが機械的および電気的に接続されると、レンズコントローラ１２０と、カメラコントローラ１５３とは通信可能な状態となる。ボディマウント１４０は、カメラコントローラ１５３から受信した露光同期信号やその他制御信号を、レンズマウント１３０を介してレンズコントローラ１２０に通知する。また、ボディマウント１４０は、レンズマウント１３０を介してレンズコントローラ１２０から受信した信号をカメラコントローラ１５３に通知する。
【００３３】
電源１５４は、デジタルカメラ１００で消費するための電力を供給する。電源１５４は、例えば乾電池であってもよいし、充電池であってもよい。また電源コードにより外部から供給される電力をデジタルカメラ１００に供給されるものであってもよい。電源がＯＮされると、カメラコントローラ１５３は、カメラボディ１０２全体に電力供給する。また、カメラコントローラ１５３は、ボディマウント１４０およびレンズマウント１３０を介して、交換レンズ１０１に電力を供給する。そして、レンズコントローラ１２０は、交換レンズ１０１全体に電力を供給する。
【００３４】
カードスロット１６５は、メモリカード１６４を着脱可能な接続手段である。カードスロット１６５は、メモリカード１６４を電気的及び機械的に接続可能である。また、カードスロット１６５は、メモリカード１６４を制御する機能を備えてもよい。
【００３５】
メモリカード１６４は、内部にフラッシュメモリ等の記憶手段を備えた外部メモリである。メモリカード１６４は、カメラコントローラ１５３で処理された画像情報等のデータを記憶可能である。また、メモリカード１６４は、内部に記憶する画像情報等のデータを出力可能である。メモリカード１６４から出力された画像情報はカメラコントローラ１５３で処理され、例えば液晶モニタ１６３に再生表示される。
【００３６】
レリーズ釦１６０は、使用者の操作を受け付ける。レリーズ釦１６０は、半押しと全押しの二段階操作になっている。使用者がレリーズ釦１６０を半押し操作することにより、カメラコントローラ１５３はオートフォーカス動作を実行する。また、使用者がレリーズ釦１６０を全押し操作すると、カメラコントローラ１５３はこの全押し操作のタイミングに応じて生成された画像情報をメモリカード１６４に記憶する。
【００３７】
カメラ側操作部１７０は、上述した中央釦２０４や十字釦２０５を含む操作部材の総称である。また、カメラ側操作部１７０は、ＭＦ／ＡＦを切り替えるスイッチを含む。カメラ側操作部１７０がユーザによる操作を受け付けると、カメラコントローラ１５３は、操作指示内容に応じた各種制御を実行する。
【００３８】
＜１−４．デジタルカメラ１００が可能なシャッタ制御と、シャッタ制御の違いによる露光タイミングの違い（図４）＞
実施の形態１では、カメラコントローラ１５３は、メカシャッタ１５７及びＣＭＯＳイメージセンサ１５０を制御して、電子シャッタによる露光と、電子先幕による露光を実現させることが可能である。電子シャッタは、先幕と後幕の両方を、撮像素子で実現する技術である。電子先幕は、先幕を撮像素子で、後幕をメカシャッタで実現する技術である。実施の形態では、電子シャッタを実現するために、カメラコントローラ１５３がＣＭＯＳイメージセンサ１５０を制御するように構成されている。また、電子先幕を実現するために、カメラコントローラ１５３がメカシャッタ１５７及びＣＭＯＳイメージセンサ１５０を制御するように構成されている。以下、説明の簡易化のために、電子シャッタ、電子先幕という用語を用いて説明を行う。
【００３９】
例えば、デジタルカメラ１００は、ＣＭＯＳイメージセンサ１５０の露光時間を調節するために複数のシャッタ制御を有する。デジタルカメラ１００は、シャッタ制御として、電子シャッタ、電子先幕を有している。
【００４０】
ここで、電子シャッタは、図４に示すように露光の開始、終了ともＣＭＯＳイメージセンサ１５０で電子的に行う制御である。電子シャッタ制御は、露光時間を電子的に制御するため、精度よく高速なシャッタスピード制御が可能であるが、ＣＭＯＳイメージセンサ１５０の撮像面の上下における露光タイミングの差が長いことにより、動いている被写体を撮像した際に被写体が歪む現象（以下、ローリングシャッタ歪みと呼ぶことにする。）が発生する可能性がある。
【００４１】
また、電子先幕は、図４に示すように、露光の開始をＣＭＯＳイメージセンサ１５０で電子的に行い、露光の終了をメカシャッタ１５７で遮光して行う制御である。ＣＭＯＳイメージセンサ１５０の撮像面の上下における露光タイミングの差が比較的短いため、前述したローリングシャッタ歪みは発生しにくいが、露光制御をメカニカルな機構で行うため、動作のばらつきが発生し高速シャッタスピード時の精度を出すことが困難である。
【００４２】
なお、電子シャッタは、図４に示すように、電子先幕と比べ、読み出し時間が長い。この結果、電子シャッタは、電子先幕と比べ、適切なフラッシュ撮影を行えない可能性がある。これは、電子シャッタにおいて、撮像ラインの読み出しを、露光の終了と同タイミングに行う必要があるからである。
【００４３】
また、電子先幕は、電子シャッタと比べ、メカシャッタを制御して露光を行うため、高速撮影において、露光量のバラつきが大きい。
【００４４】
更に、電子シャッタは、電子先幕と比べ、開始ラインから終了ラインまでの時間が長い。この結果、電子シャッタは、電子先幕と比べ、ローリングシャッタ歪みが大きくなる。
【００４５】
上述したように、電子シャッタと電子先幕は様々な面でメリット、デメリットがある。
【００４６】
このような違いを意識して使用者が電子シャッタと電子先幕とを切り替えることは難しい。
【００４７】
そのため、実施の形態１では、以下のような動作を可能にしている。
【００４８】
＜２．動作＞
＜２−１．撮像準備動作＞
まず、撮像準備のためのデジタルカメラ１００の動作を説明する。
【００４９】
カメラボディ１０２に交換レンズ１０１を装着した状態で、使用者が、カメラボディ１０２の電源を入れると、電源１５４は、ボディマウント１４０及びレンズマウント１３０を介して、交換レンズ１０１に電力を供給する。次に、カメラコントローラ１５３は、レンズコントローラ１２０に対して、交換レンズ１０１の認証情報を要求したり、レンズデータなど交換レンズ１０１を制御するのに必要な情報を要求したりする。カメラコントローラ１５３は、交換レンズ１０１を制御するのに必要な情報を取得すると、カメラボディ１０２を撮影可能な状態へと制御する。
【００５０】
また、この状態では、デジタルカメラ１００は、ＣＭＯＳイメージセンサ１５０で生成した画像データが示す画像をスルー画像として液晶モニタ１６３に表示する制御モードで動作し得る。この制御モードをライブビューモードという。ライブビューモードでは、スルー画像が動画で液晶モニタ１６３に表示されるので、使用者は、液晶モニタ１６３を見ながら静止画像を撮像するための構図を決めることができる。
【００５１】
＜２−２．  シャッタ制御を決定するためのモード選択動作（図５）＞
デジタルカメラ１００は、使用者に対して、シャッタ制御を決定するためのモード設定を行わせることが可能である。図５を用いて、使用者によるモード設定の説明を行う。
【００５２】
デジタルカメラ１００は、３種類のモードを有する。３種類のモードには、「電子シャッタ固定」、「電子先幕固定」、「自動制御」（電子シャッタと電子先幕をカメラが自動判別）が含まれる。
【００５３】
カメラコントローラ１５３は、液晶モニタ１６３に、これらのモードを使用者に選択させるためのモード選択画面を表示させる。モード選択画面の例を図５に示す。図５では、モード選択設定画面Ｄ４００を示している。使用者は、カメラ側操作部１７０を操作することで、選択カーソルＤ４０１を移動させ、３種類のモードから好みのモードを選択する。カメラコントローラ１５３は、選択されたモードを、ＤＲＡＭ１５５に保存する。
【００５４】
＜２−３．プログラム線図決定動作（図６）＞
図６を用いて、プログラム線図決定のためのデジタルカメラ１００の動作を説明する。
【００５５】
図６に示すように、カメラコントローラ１５３は、ＤＲＡＭ１５５に保存されたモード設定に従って、プログラム線図を決定する（Ｓ１）。カメラコントローラ１５３は、モードが電子先幕であれば、電子先幕専用のプログラム線図を採用する（Ｓ２）。カメラコントローラ１５３は、モードが自動制御であれば、自動制御用のプログラム線図を採用する（Ｓ３）。カメラコントローラ１５３は、モードが電子シャッタ固定であれば、電子シャッタ専用のプログラム線図を採用する（Ｓ４）。カメラコントローラ１５３は、採用されたプログラム線図をＤＲＡＭ１５５に保存する（Ｓ５）。なお、採用されるプログラム線図の例を図７に示す。
【００５６】
図７（Ａ）は、電子シャッタ専用のプログラム線図である。図７（Ｂ）は、電子先幕専用のプログラム線図である。図７（Ｃ）は、自動制御用のプログラム線図である。
【００５７】
ここで、電子先幕専用のプログラム線図は、電子シャッタと比べ、上限を制限している（上限＝ＴＶＢ）。電子先幕で上限を低くする理由は、高速撮影において露光量のバラつきが大きいので、適切な撮像画像を生成できない可能性があるためである。
【００５８】
また、自動制御用のプログラム線図は、ＴＶ値がＴＶＢ以下については、電子先幕のプログラム線を利用し、ＴＶＢより大きい場合については、任意のプログラム線図を利用している。
【００５９】
すなわち、モードを自動制御に設定した場合、デジタルカメラ１００は、プログラム線図として、電子先幕のプログラム線図を一部に採用すると良い。これは、自動制御において、電子先幕のプログラム線図を利用することによって、ＴＶ値を抑えることができる。この結果、自動制御において、電子先幕を電子シャッタよりも優先して選択し、制御に用いることになるので、撮像画像のローリングシャッタ歪み等の発生を軽減できる。
【００６０】
なお、カメラコントローラ１５３は、撮影直前において、ＣＭＯＳイメージセンサ１５０によって得られる測光結果によるＥＶ値と、採用するプログラム線図を用いて、ＡＶ値、ＴＶ値を求める。カメラコントローラ１５３は、求めた、ＡＶ値とＴＶ値をＤＲＡＭ１５５に記録する。
【００６１】
＜２−４．  シャッタ制御の決定動作（図８）＞
次に、図８を用いて、シャッタ制御を決定するためのデジタルカメラ１００の動作を説明する。図８に示すように、カメラコントローラ１５３は、ＤＲＡＭ１５５に保存されたモード設定、及び、撮影直前にＤＲＡＭ１５５に保存されるＴＶ値に従って、シャッタ制御を決定する。
【００６２】
カメラコントローラ１５３は、ＤＲＡＭ１５５に保存されたモードの設定情報を読み出し、設定情報を確認する（Ｓ１１）。カメラコントローラ１５３は、モードが電子先幕固定の場合、シャッタ制御を電子先幕に決定する（Ｓ１２）。カメラコントローラ１５３は、モードが自動制御の場合、ＤＲＡＭ１５５に保存されたＴＶ値が所定値（例えば、ＴＶＢ）よりも大きいか否かを判断する（Ｓ１３）。カメラコントローラ１５３は、ＴＶ値が所定値以下であれば、シャッタ制御を電子先幕に決定する（Ｓ１２）。一方、カメラコントローラ１５３は、ＴＶ値が所定値よりも大きければ、シャッタ制御を電子シャッタに決定する（Ｓ１４）。Ｓ１１の処理に戻って、カメラコントローラ１５３は、モードが電子シャッタ固定の場合、シャッタ制御を電子シャッタに決定する（Ｓ１４）。
【００６３】
＜２−５．  撮影動作＞
デジタルカメラ１００は、レリーズ釦の半押しで、図６で求められたプログラム線図によりＴＶ値を求める。その後、デジタルカメラ１００は、モードが自動制御であれば、ＴＶ値により、シャッタ制御を決定する。そして、デジタルカメラ１００は、レリーズ釦が全押しされると、撮影動作を行い、静止画像（撮像画像）を取得し、メモリカード１６４に記録する。
【００６４】
＜２−６．  効果等＞
以上のように、実施の形態１にかかるデジタルカメラ１００は、使用者によって自動制御モードに設定可能である。自動制御モードでは、デジタルカメラ１００は、シャッタスピードに応じて、電子先幕と電子シャッタとの切り替えを行う。
【００６５】
このように構成したので、電子シャッタと電子先幕のように各々メリット、デメリットを持つシャッタ制御を、カメラの設定に応じて切り替えることができる。この結果、より好ましい撮像画像を使用者に提供できるようになる。
【００６６】
また、実施の形態１にかかるデジタルカメラ１００は、自動制御モードにおいて、プログラム線図に、電子先幕のプログラム線図を一部利用するようにした。
【００６７】
このようにすれば、デジタルカメラ１００は、シャッタ制御として、電子シャッタよりも電子先幕を優先して決定できるようになるので、より好ましい撮像画像を使用者に提供できるようになる。
【００６８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００６９】
そこで、以下、他の実施の形態を例示する。
【００７０】
実施の形態１では、プログラム線図を用いてシャッタスピード（ＴＶ値）を決定するようにした。しかし、これに限られず、絞り優先モード、シャッタ優先モード、マニュアルモードのような撮影モードでシャッタスピード（ＴＶ値）を決定するようにしても良い。例えば、絞り優先モードでは、使用者によって設定されるＡＶ値と、撮像素子によって得られる測光結果によるＥＶ値と、を利用して、ＴＶ値を求めればよい。また、シャッタ優先モード又はマニュアルモードでは、使用者によって設定されるシャッタスピードによってＴＶ値を求めればよい。なお、ＩＳＯの換算については説明の簡易化のため、実施の形態では省略している。
【００７１】
以上のように、本開示における技術の例示として、実施の形態を説明した。そのために、添付図面および詳細な説明を提供した。
【００７２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７３】
また、上述の実施の形態は、本開示における技術を例示するためのものであるから、特許請求の範囲またはその均等の範囲において種々の変更、置き換え、付加、省略などを行うことができる。
【産業上の利用可能性】
【００７４】
本開示は、デジタルカメラ、ムービー、スマートフォンなどに適用可能である。
【符号の説明】
【００７５】
１００    デジタルカメラ
１０１    交換レンズ
１０２    カメラボディ
１１０    フォーカスレンズ
１１１    フォーカスレンズ駆動部
１１２    ズームレンズ
１１３    ズームレンズ駆動部
１１４    フォーカスリング
１１５    ズームリング
１１６    絞り
１１７    絞り駆動部
１２０    レンズコントローラ
１２１    ＤＲＡＭ
１２２    フラッシュメモリ
１３０    レンズマウント
１４０    ボディマウント
１５０    ＣＭＯＳイメージセンサ
１５１    ＴＧ
１５２    ＡＦＥ
１５３    カメラコントローラ
１５４    電源
１５５    ＤＲＡＭ
１５６    フラッシュメモリ
１５７    メカシャッタ
１６０    レリーズ釦
１６２    タッチパネル
１６３    液晶モニタ
１６４    メモリカード
１６５    カードスロット
１７０    カメラ側操作部
２０４    中央釦
２０５    十字釦
【図１】
2016213520.tif 000003
【図２】
2016213520.tif 000004
【図３】
2016213520.tif 000005
【図４】
2016213520.tif 000006
【図５】
2016213520.tif 000007
【図６】
2016213520.tif 000008
【図７】
2016213520.tif 000009
【図８】
2016213520.tif 000010